(57)【要約】【課題】ユーザが複数部の記録を行った場合に、出力後の記録媒体の振分け作業を極力減らすことで、ユーザの負荷を軽減させる構成を安価に可能とするインクジェット記録装置を提供すること。【解決手段】複数の給紙手段を備えた記録装置で、ユーザの任意で記録後の記録媒体を各給紙部毎の振分けを自動で行い、異なる領域に出力することが可能な記録装置を用いる。【選択図】図４
2010143015.tif 000002
【特許請求の範囲】
【請求項１】
複数の給紙部から給紙された記録媒体に記録を行うインクジェット記録装置において、
前記複数の給紙部のそれぞれに対応した、位置が異なる複数の出力領域を備えており、
操作者が複数部の記録を行う際に、操作者の任意で前記記録媒体を前記複数の出力領域に振分けて出力することが可能であることを特徴とするインクジェット記録装置。
【請求項２】
前記複数の出力領域は、同一の排紙トレイ上に設けられていることを特徴とする請求項１に記載のインクジェット記録装置。
【請求項３】
前記複数の給紙部は、オートシートフィーダ給紙部とカセット給紙部であることを特徴とする請求項１または請求項２に記載のインクジェット記録装置。
【請求項４】
前記複数の給紙部は、第１のカセット給紙部と第２のカセット給紙部であることを特徴とする請求項１または請求項２に記載のインクジェット記録装置。
【請求項５】
前記複数の給紙部は、第１のオートシートフィーダ給紙部と第２のオートシートフィーダ給紙部であることを特徴とする請求項１または請求項２に記載のインクジェット記録装置。
【発明の詳細な説明】
【技術分野】
【０００１】
本発明は記録データに基づき、記録ヘッドに設けられた複数の吐出口からインク滴を吐出し、記録媒体に画像を記録するインクジェット記録装置に関する。詳しくは、記録装置で記録を行った後に記録媒体を排出し、その後の記録媒体の収集がユーザにとって煩雑な作業にならないよう、記録媒体を自動的に振分けて収集するインクジェット記録装置に関するものである。
【背景技術】
【０００２】
一般のインクジェット記録装置は、記録媒体に画像を記録した後に記録媒体を排出し、出力後の記録媒体を一箇所に蓄積しておく。そのため、ユーザが複数部の記録を行った場合には、その記録後の記録媒体が一箇所に蓄積されていることから、記録媒体を振分ける作業が必要となってしまう。
【０００３】
そこで特許文献１には、複数の排出口を備えた処理装置であり、いずれの排紙トレイに記録媒体が出力されたかをユーザが容易に認知し得る手段を備えた処理装置が提案されている。また更に、各蓄積手段に蓄積された記録媒体に対応した各情報を表示するための表示手段を備えた構成とする技術が提案されている。
【０００４】
【特許文献１】特開平０７−２８１５６１号公報
【発明の開示】
【発明が解決しようとする課題】
【０００５】
しかしながら近年のインクジェット記録装置を取り巻く大きな流れから、ユーザの利便性を高め、さらには低コストによりユーザにかかる負担をできる限り軽減させる構成を求める必要性が出てきた。特許文献１の方法では、記録後の記録媒体をいずれの排紙トレイに出力するかを分けるために、より多くのインクジェット記録装置の構成部品が必要となり、それに応じたコストがかかってしまう。また、各蓄積手段に蓄積された記録媒体に対応した各情報を表示するための表示手段を備える構成も、それに応じたコストがかかることになる。
【０００６】
よって、本発明はユーザが複数部の記録を行った場合に、出力後の記録媒体の振分け作業を極力減らすことで、ユーザの負荷を軽減させる構成を安価に可能とするインクジェット記録装置を提供することを目的とする。
【課題を解決するための手段】
【０００７】
そのため本発明のインクジェット記録装置は、複数の給紙部から給紙された記録媒体に記録を行うインクジェット記録装置において、前記複数の給紙部のそれぞれに対応した、位置が異なる複数の出力領域を備えており、操作者が複数部の記録を行う際に、操作者の任意で前記記録媒体を前記複数の出力領域に振分けて出力することが可能であることを特徴とする。
【発明の効果】
【０００８】
本発明のインクジェット記録装置は、複数の給紙部のそれぞれに対応した、位置が異なる複数の出力領域を備えており、操作者が複数部の記録を行う際に、操作者の任意で記録媒体を複数の出力領域に振分けて出力する。これによって、ユーザが複数部の記録を行った場合に、出力後の記録媒体の振分け作業を極力減らすことで、ユーザの負荷を軽減させる構成を安価に可能とするインクジェット記録装置を実現することができる。
【発明を実施するための最良の形態】
【０００９】
本実施形態のインクジェット記録装置における記録媒体振分け方法について説明する。まず、本実施形態のインクジェット記録装置（以下、単に記録装置ともいう）は、記録媒体を記録装置内へと供給するための２種類の給紙部を備えており、１つはＡＳＦ（オートシートフィーダ）給紙、もう１つはカセット給紙である。この２種類の給紙部から給紙される記録媒体の出力後の排出位置を互い違いにする構成をとることにより、両方の給紙部から給紙される記録媒体は互いに同じ箇所に重なって蓄積されることのないような構成とする。それによりユーザ（操作者）から複数部の記録命令が入力された場合、１つの給紙部だけを使用するのではなく２つの給紙部を使用して、記録媒体を異なる領域に振分け、ユーザが自分自身の手で一箇所に蓄積した記録媒体を振分ける作業を必要としないものである。
【００１０】
以下、図面を参照して本発明の第１の実施形態について説明する。なお、以下の説明では、記録装置に備えられた記録ヘッドから記録媒体に対してインクを吐出することで記録を行う、所謂インクジェット方式の記録装置を例に挙げて説明する。
【００１１】
なお本明細書で「記録」とは、文字、図形等有意の情報を形成するだけでなく、有意無意を問わず人間が視覚で知覚し得るように顕在化したものであるか否かを問わず、広く記録媒体上に画像、模様、パターン等を形成する、または媒体の加工を行うものを表わす。
【００１２】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１３】
さらに、「インク」（「液体」とも言う）とは、「記録」の定義と同様広く解釈されるべきである。つまり、「インク」は記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１４】
またさらに、「ノズル」とは、特にことわらない限り吐出口ないしこれに連通する液路およびインク吐出に利用されるエネルギを発生する素子を総括して言うものとする。
【００１５】
（インクジェット記録装置の基本構成）
図１は、本発明を適用可能なインクジェット記録装置１の内部がわかるように示した概略斜視図である。記録装置１は、インクを吐出する記録ヘッド３を搭載したキャリッジ２に、キャリッジモータＭ１によって発生する駆動力を伝達機構４によって伝え、キャリッジ２を矢印Ａ方向に往復移動させる。そしてキャリッジ２を移動させると共に、例えば、記録紙などの記録媒体Ｐを給紙機構５を介して給紙し、記録位置１まで搬送し、その記録位置において記録ヘッド３から記録媒体Ｐにインクを吐出することで記録を行なう。
【００１６】
また本実施形態の記録装置１は、記録ヘッド３の吐出状態を良好に維持するために、キャリッジ２を回復装置１０の位置まで移動させ、間欠的に記録ヘッド３の吐出回復処理を行う。記録装置１のキャリッジ２には記録ヘッド３を搭載するのみならず、記録ヘッド３に供給するインクを貯留するインクカートリッジ６も搭載されており、インクカートリッジ６はキャリッジ２に対して着脱自在になっている。
【００１７】
記録装置１はカラー記録が可能であり、キャリッジ２にはマゼンタ（Ｍ）、シアン（Ｃ）、イエロ（Ｙ）、ブラック（Ｋ）のインクを夫々収容した４つのインクカートリッジ６を搭載している。これら４つのインクカートリッジ６は夫々独立に着脱可能である。キャリッジ２と記録ヘッド３とは、両部材の接合面が適正に接触して所要の電気的接続を達成維持できるようになっている。記録ヘッド３は、記録信号に応じてエネルギが印加されることにより、複数の吐出口からインクを選択的に吐出して記録を行う。特に、本実施形態の記録ヘッド３は、熱エネルギを利用してインクを吐出するインクジェット方式であり、熱エネルギを発生するために電気熱変換体を備えている。電気熱変換体に印加される電気エネルギが熱エネルギへと変換され、その熱エネルギをインクに与えることにより、インクに生じる膜沸騰から気泡が発生し、その後の成長、収縮によって生じる圧力変化を利用して、吐出口よりインクを吐出させる。この電気熱変換体は各吐出口のそれぞれに対応して設けられ、記録信号に応じて、対応する電気熱変換体にパルス電圧を印加することによって吐出口からインクを吐出する。
【００１８】
キャリッジ２は、キャリッジモータＭ１の駆動力を伝達する伝達機構４の駆動ベルト７に連結されており、ガイドシャフト１３に沿って矢印Ａ方向に摺動自在に案内支持されるようになっている。従ってキャリッジ２は、キャリッジモータＭ１の正転および逆転によってガイドシャフト１３に沿って往復移動する。また、記録装置１にはキャリッジ２の移動方向（矢印Ａ方向）に沿ってキャリッジ２の絶対位置を示すためのスケール８が備えられている。本実施形態では、スケール８は透明なＰＥＴフィルムに必要なピッチで黒色のバーを印刷したものを用いており、その一方はシャーシ９に固着され、他方は板バネ（不図示）で支持されている。
【００１９】
また、記録装置１には、記録ヘッド３の吐出口（不図示）が形成された吐出口面に対向してプラテン（不図示）が設けられており、キャリッジモータＭ１の駆動力によって記録ヘッド３を搭載したキャリッジ２が往復移動される。キャリッジ２の往復移動と同時に、記録ヘッド３に記録信号を与えてインクを吐出することによって、プラテン上に搬送された記録媒体Ｐの全幅にわたって記録が行われる。さらに、搬送ローラ１４は記録媒体Ｐを搬送するために搬送モータＭ２によって駆動される。ピンチローラ１５は、バネ（不図示）により記録媒体Ｐを搬送ローラ１４に当接しており、ピンチローラホルダ１６によって回転自在に支持されている。搬送ローラギア１７は搬送ローラ１４の一端に固着されており、搬送ローラギア１７に中間ギア（不図示）を介して伝達された搬送モータＭ２の回転により搬送ローラ１４が駆動される。
【００２０】
また、排出ローラ２０は、搬送モータＭ２の回転が伝達されることで駆動され、記録ヘッド３によって画像が形成された記録媒体Ｐを記録装置１の外ヘ排出する。なお、排出ローラ２０は記録媒体Ｐをバネ（不図示）により圧接する拍車ローラ（不図示）により当接する。拍車ホルダ２２は、拍車ローラを回転自在に支持する。
【００２１】
さらに記録装置１には、記録ヘッド３を搭載するキャリッジ２の記録動作のための往復運動の範囲外（記録領域外）の所望位置（例えばホームポジションに対応する位置）に、記録ヘッド３の吐出不良を回復するための回復装置１０が配設されている。その回復装置１０は、記録ヘッド３の吐出口面をキャッピングするキャッピング機構１１と記録ヘッド３の吐出口面をクリーニングするワイピング機構１２とを備えている。キャッピング機構１１が吐出口面をキャッピングすると、それに連動して回復装置内の吸引手段（吸引ポンプ等）が吐出口内のインクを強制的に排出させる。そしてそのインクの排出によって記録ヘッド３のインク流路内の粘度の増したインクや気泡等を除去する等の吐出回復処理が行われる。
【００２２】
また、非記録動作時等には、記録ヘッド３の吐出口面をキャッピング機構１１によるキャッピングすることによって、記録ヘッド３を保護するとともにインクの蒸発や乾燥を防止することができる。
【００２３】
一方、ワイピング機構１２はキャッピング機構１１の近傍に配され、記録ヘッド３の吐出口面に付着したインク液滴を拭き取るようになっている。
【００２４】
これらキャッピング機構１１およびワイピング機構１２により、記録ヘッド３のインク吐出状態を正常に保つことが可能となっている。
【００２５】
（インクジェット記録装置の制御の構成）
図２は、図１に示した記録装置１の制御構成を示すブロック図である。コントローラ６００は、ＭＰＵ６０１、後述する制御シーケンスに対応したプログラム、所要のテーブル、その他の固定データを格納したＲＯＭ６０２を備えている。更にコントローラ６００は、キャリッジモータＭ１、搬送モータＭ２、および記録ヘッド３それぞれを制御する信号を生成する特殊用途集積回路（ＡＳＩＣ）６０３、画像データの展開領域やプログラム実行のための作業用領域等を設けたＲＡＭ６０４を備えている。更にコントローラ６００はＭＰＵ６０１、ＡＳＩＣ６０３、ＲＡＭ６０４を相互に接続してデータの授受を行うシステムバス６０５、センサ群からのアナログ信号を入力してＡ／Ｄ変換しデジタル信号をＭＰＵ６０１に供給するＡ／Ｄ変換器６０６等を備えている。
【００２６】
またホスト装置６１０は、画像データの供給源であるコンピュータ或いは、画像読取り用のリーダやデジタルカメラである。ホスト装置６１０と記録装置１との間ではインタフェース（Ｉ／Ｆ）６１１を介して画像データ、コマンド、ステータス信号等の送受信が行われる。更にスイッチ群６２０は、電源スイッチ６２１、記録開始を指令するプリントスイッチ６２２、記録ヘッド３のインク吐出性能を良好な状態に維持するための回復処理を起動する回復スイッチ６２３等、操作者による指令入力を受けるためのスイッチで構成される。
【００２７】
センサ群６３０は、ホームポジションｈを検出するためのフォトカプラなどの位置センサ６３１、環境温度を検出するために記録装置１の適宜の箇所に設けられた温度センサ６３２等から構成される装置状態を検出するためのセンサ群である。更にキャリッジモータドライバ６４０は、キャリッジ２を矢印Ａ方向（図１参照）に往復走査させるためのキャリッジモータＭ１を駆動させ、搬送モータドライバ６４２は記録媒体Ｐを搬送するための搬送モータＭ２を駆動させる。
【００２８】
以上のような構成で、記録装置１はインタフェース６１１を介して転送された記録データのコマンドを解析し、記録に用いる画像データをＲＡＭ６０２に展開する。画像データの展開領域は２次元の矩形領域である。展開領域は、その横サイズをキャリッジ移動方向の記録可能領域の画素数Ｈｐに対応させ、縦サイズを記録ヘッドの１回の記録走査で記録される記録媒体の搬送方向の画素数である１６×１６の４分の１（６４画素）に対応したもので構成されている。
【００２９】
また、記録走査において記録ヘッド３に記録データを転送するために参照されるＲＡＭ６０２上の記憶領域（プリントバッファ）も２次元の矩形領域である。りの展開領域は、その横サイズを主走査方向の記録可能領域分の画素数Ｖｐに対応したもの、その縦サイズを記録ヘッドの１回の記録走査で記録される副走査方向の画素数である１６×１６に対応したもの構成されている。
【００３０】
ＡＳＩＣ６０３は、記録ヘッド３による記録走査の際に、ＲＡＭ６０２の記憶領域に直接アクセスしながら記録ヘッドに対して記録素子（ヒータ）の駆動データを転送する。
【００３１】
（インクジェット記録装置の構成）
図３は、図１の記録装置１に外装カバーを取り付けた状態を示した外観斜視図である。
記録装置１の本体の後方にはＡＳＦ給紙部２が設けられており、ここから給紙されることをセンター給紙と称し、インクジェット記録装置１の中心部を通るように通紙されて記録が行われる。そのため、記録された後に排紙され排紙トレイ４６に蓄積するときも、排紙トレイ４６の真ん中に蓄積される構成となっている。
【００３２】
一方、図３の本体前方下端にはカセット給紙部９９が設けられており、前述のＡＳＦ給紙部２と同じ機能を有する給紙部である。ただし、カセット給紙部９９から給紙される記録媒体はインクジェット記録装置１の真ん中ではなく、右寄りに通紙される構成となっており、記録された後に排紙され排紙トレイに蓄積するときも、排紙トレイ４６の右寄りに記録媒体を蓄積する。
【００３３】
（記録媒体振分け方法）
次に、本実施形態のインクジェット記録装置１における、記録媒体振分け方法の概略を説明する。本実施形態のインクジェット記録装置１は、出力後の記録媒体を各給紙部に対応した異なる領域に振分けることが可能である点に特徴を有するものである。
【００３４】
図４は、記録時における記録媒体の振分け方法の概略を示したフローチャートである。以下、ステップに沿ってこのフローチャートを説明する。まずステップＳ１１でユーザが、記録信号とその記録を行う部数、給紙部の選択、自動ソートの有無、自動ソートで振分ける部数を選択する。次にステップＳ１２で、記録装置１により記録を行う部数が１部なのかあるいは複数部なのかを判別する。１部の場合には出力された記録媒体を振分ける必要がないので、ステップＳ１３でそのまま設定された給紙部から給紙を行い記録を実行する。例えば、記録部数が１部でＡＳＦ（オートシートフィーダ）給紙部２からの給紙が指定されていれば、ＡＳＦ給紙部２から給紙を実行し、１部の記録媒体に記録を行って記録終了となる。
【００３５】
続いて複数部が指定されたときは、以下のようにフローチャートに従って進行する。例えば、記録を行う部数を２０部と選択した場合で、出力された記録媒体の振分けとしてステップＳ１４で自動ソート（自動振分け）「有」を選択し、ステップＳ１５における自動ソート部数が１０部の選択がされている場合を考える。この場合、始めの１部目から１０部目までを設定された給紙部（例えばＡＳＦ給紙部２）から給紙を行って記録を実行し、１１部目から２０部目までは設定されていなかった給紙部（例えばカセット給紙部９９）から給紙を行って記録を行う。自動ソートの選択で「無」が設定されている場合には、ステップＳ１４からステップＳ１３へと移行し、従来通り設定された給紙部（例えばＡＳＦ給紙部２）からの給紙のみで１部目から２０部目まで給紙を行って記録を終了する。
【００３６】
図５は、本実施形態の記録装置１の排紙部における異なった出力位置を示した図である。具体的な例で説明すると、自動ソートの「有」が選択されており、給紙部の指定がＡＳＦ給紙部２となっている場合には、１部目から１０部まではＡＳＦ給紙部２から給紙をして記録を行って、図５のインクジェット記録装置１のＡＳＦ出力位置５２へ出力する。そして、１１部目から２０部までは給紙部の指定をされていないカセット給紙９９から給紙をして記録を行って、カセット給紙出力位置５３へ出力する。
【００３７】
また、自動ソートの「無」が選択されていれば、給紙部の指定がＡＳＦ給紙部２となっている場合、全ての記録をＡＳＦ給紙部２から給紙した記録媒体に記録を行って、ＡＳＦ出力位置５２へ出力する。
【００３８】
このような構成は特に表示部等を用いる必要も無く、さらに複雑な部品等を必要とするものでもないため、安価に構成することが可能である。
【００３９】
このように複数の給紙手段を備えた記録装置で、ユーザの任意で記録後の記録媒体を各給紙部毎の振分けを自動で行い、異なる領域に出力することが可能な記録装置を用いる。これによって、出力後の記録媒体の振分け作業を極力減らし、ユーザの負荷を軽減させる構成を安価に可能とするインクジェット記録装置を実現することができた。
【００４０】
なお、本実施形態においては互いに異なる給紙部として２種類（ＡＳＦ給紙部２とカセット給紙部９９）の場合の例を示したが、３種類以上の給紙部を用いた場合にも同様の方法で記録媒体を振分けることは可能である。
【００４１】
また、本実施形態では同一の排紙トレイ上で位置（出力領域）を変えて記録媒体を出力したが、これに限定するものではなく、複数の排紙トレイを備えて、その排紙トレイを各給紙部に対応させて、異なる排紙トレイに記録媒体を出力してもよい。
【００４２】
（第２の実施形態）
以下、図面を参照して本発明の第２の実施形態を説明する。なお、本実施形態の基本的な構成は第１の実施形態と同様であるため、以下では特徴的な構成についてのみ説明する。
【００４３】
本実施形態のインクジェット記録装置における記録媒体振分け方法を説明する。本実施形態のインクジェット記録装置は、記録媒体の給紙部として２種類のカセット給紙部（第１のカセット給紙部および第２のカセット給紙部）を備えており、それぞれのカセット給紙部は異なる位置に配置されている。この２種類のカセット給紙部から給紙される記録媒体の出力後の排出位置を互い違いにする構成をとることにより、両者のカセット給紙部から給紙された記録媒体は記録された後、各カセット給紙部毎に異なる箇所に重なって蓄積される構成とする。それによりユーザから複数部の記録命令が入力された場合に、２つのカセット給紙部を使用して記録を行って記録媒体を振分けることとし、１箇所に蓄積した記録媒体をユーザが振分ける作業を必要ないものとする。
【００４４】
（インクジェット記録装置の第２の実施形態における構成）
図６は、本実施形態のインクジェット記録装置６０を示した概略斜視図であり、図７、図８は、それぞれカセット給紙部を示した図である。本実施形態の記録装置６０には、本体下端に給紙部９０が設けられており、さらにこの内部は上下２段式となっている。図７はそのうちの上段にあるカセット給紙部９０−Ａを示しており、記録媒体９１はインクジェット記録装置６０に対して左寄りに置かれる。
【００４５】
カセット給紙部９０−Ａから給紙される記録媒体は、記録装置６０の左寄りを通るように通紙されて記録が行われる。そのため、記録された後に排紙され排紙トレイ４６に蓄積されるときも、排紙トレイ４６の左寄りに蓄積される構成となっている。
【００４６】
一方、給紙部９０の中の２段式の下段には、図８で示すもう１つのカセット給紙部９０−Ｂが設けられており、前述のカセット給紙部９０−Ａと同じ機能を有している。ただし、記録媒体９２はインクジェット記録装置６０に対して左寄りではなく、右寄りに置かれている。カセット給紙部９０−Ｂから給紙される記録媒体９２は、インクジェット記録装置６０の右寄りに通紙される構成となっており、記録された後に排紙され排紙トレイに蓄積するときも、排紙トレイ４６の右寄りに蓄積される。
【００４７】
（本実施形態の記録媒体振分け方法）
図９は、本実施形態の記録装置６０による記録時における記録媒体の振分け方法の概略を示したフローチャートである。本実施形態の記録媒体の振分け方法は、第１の実施形態と略同じであり、図４のステップ１５におけるＡＳＦ給紙口とカセット給紙口が、図９のステップＳ２５でカセット給紙部９０−Ａとカセット給紙部９０−Ｂに変わっただけである。そのため、処理内容は同じであるため各ステップにおける個別の説明は省略する。
【００４８】
このように複数の給紙手段を備えた記録装置で、ユーザの任意で記録後の記録媒体を各給紙部毎の振分けを自動で行い、異なる領域に出力することが可能な記録装置を用いる。これによって、出力後の記録媒体の振分け作業を極力減らし、ユーザの負荷を軽減させる構成を安価に可能とするインクジェット記録装置を実現することができた。
【００４９】
（第３の実施形態）
以下、図面を参照して本発明の第３の実施形態を説明する。なお、本実施形態の基本的な構成は第１の実施形態と同様であるため、以下では特徴的な構成についてのみ説明する。
【００５０】
第１の実施形態では２つの給紙口が１つはＡＳＦ給紙、もう１つはカセット給紙口について、第２の実施形態では２つの給紙口が１つはカセット給紙口９０−Ａ、もう１つも別の位置に備えられたカセット給紙口９０−Ｂについての説明を行った。
【００５１】
図１０は、本実施形態のインクジェット記録装置１００の内部がわかるように示した概略斜視図である。本実施形態の記録装置１００は、図のようにＡＳＦ給紙口Ｃ（第１のオートシートフィーダ給紙部）とＡＳＦ給紙口Ｄ（第２のオートシートフィーダ給紙部）との２つのＡＳＦ給紙口を備えている。これら２つのＡＳＦ給紙口を用いて、前記各実施形態のようにユーザの任意で記録後の記録媒体の振分けを自動で行うことで、出力後の記録媒体の振分け作業を極力減らしユーザの負荷を軽減させることができる。
【００５２】
このように複数の給紙手段を備えた記録装置で、ユーザの任意で記録後の記録媒体を各給紙部毎の振分けを自動で行い、異なる領域に出力することが可能な記録装置を用いる。これによって、出力後の記録媒体の振分け作業を極力減らし、ユーザの負荷を軽減させる構成を安価に可能とするインクジェット記録装置を実現することができた。
【図面の簡単な説明】
【００５３】
【図１】本発明を適用可能なインクジェット記録装置の内部がわかるように示した概略斜視図である。
【図２】図１に示した記録装置の制御構成を示すブロック図である。
【図３】図１の記録装置に外装カバーを取り付けた状態を示した外観斜視図である。
【図４】記録時における記録媒体の振分け方法の概略を示したフローチャートである。
【図５】第１の実施形態の記録装置の排紙部における異なった出力位置を示した図である。
【図６】第２の実施形態のインクジェット記録装置を示した概略斜視図である。
【図７】カセット給紙部を示した図である。
【図８】カセット給紙部を示した図である。
【図９】第２の実施形態の記録装置による記録時における記録媒体の振分け方法の概略を示したフローチャートである。
【図１０】第３の実施形態のインクジェット記録装置の内部がわかるように示した概略斜視図である。
【符号の説明】
【００５４】
１  記録装置
２  ＡＳＦ給紙部
３  記録ヘッド
４６  排紙トレイ
６０  記録装置
９０  給紙部
９９  カセット給紙部
１００  記録装置
６００  コントローラ
６０１  ＭＰＵ
６０２  ＲＯＭ
６１０  ホスト装置
６１１  インタフェース
Ｐ  記録媒体
Ｍ１  キャリッジモータ
Ｍ２  搬送モータ
【図１】
2010143015.tif 000003
【図２】
2010143015.tif 000004
【図３】
2010143015.tif 000005
【図４】
2010143015.tif 000006
【図５】
2010143015.tif 000007
【図６】
2010143015.tif 000008
【図７】
2010143015.tif 000009
【図８】
2010143015.tif 000010
【図９】
2010143015.tif 000011
【図１０】
2010143015.tif 000012